(57)【要約】【課題】イヤーパッドが汚れたり傷んだりした際に簡単に交換できるヘッドホンユニットの提供。【解決手段】スピーカー部１８などが収容されるケーシング１２と、その使用時に人体の外耳介側に当接する位置関係のもとでケーシング１２の放音面１９側を覆うイヤーパッド２２とを備えるヘッドホンユニット１１において、ケーシング１２は、放音面１９側を開口させた略筒状の開口端部１５の開口端１５ａ近傍位置に小径段差部１６を備え、イヤーパッド２２は、人体の外耳介側に当接するパッド本体部２３と、該パッド本体部２３の内側に固定されて小径段差部１６の表出面１７側に差し込まれる支持筒部２４とを備え、小径段差部１６の表出面１７には、支持筒部２４の内側面２４ａと接触した際に倒伏する起毛長さの短繊維４３を静電植毛してなるフロック層４２を設けた。【選択図】図１
2010187151.tif 000002
【特許請求の範囲】
【請求項１】
電気信号を音響に変換して放音するスピーカー部などが収容されるケーシングと、その使用時に人体の外耳介側に当接する位置関係のもとで前記ケーシングの放音面側を覆うイヤーパッドとを少なくとも備えるヘッドホンユニットにおいて、
前記ケーシングは、前記放音面側を開口させた略筒状の開口端部の開口端近傍位置に小径段差部を備え、
前記イヤーパッドは、人体の外耳介側に当接するパッド本体部と、該パッド本体部の内側に固定されて前記小径段差部の表出面側に差し込まれる支持筒部とを備え、
小径段差部の前記表出面には、前記支持筒部の内側面と接触した際に倒伏する起毛長さの短繊維を静電植毛してなるフロック層を設けたことを特徴とするヘッドホンユニット。
【請求項２】
前記小径段差部の奥端境界部には、弾性リングを配置した請求項１に記載のヘッドホンユニット。
【請求項３】
前記短繊維には、経年変化の少ない耐候性素材を用いた請求項１または２に記載のヘッドホンユニット。
【発明の詳細な説明】
【技術分野】
【０００１】
本発明は、ケーシング側に離脱困難に取り付けられているイヤーパッドが汚れたり傷んだりした際に、簡単に交換することができるようにしたヘッドホンユニットに関する技術である。
【背景技術】
【０００２】
通常、ヘッドホンは、下記特許文献１にも示されているように、電気信号を音響に変換して放音するスピーカー部などを各別に収容した左右一対のケーシングと、その使用時に外耳介側に当接する位置関係のもとで各ケーシングの放音面を各別に覆うイヤーパッドとからなるヘッドホンユニットと、該ヘッドホンユニットにおけるケーシング相互間に架け渡して外耳介側への側圧を付与しながら頭頂部を介して支持されるヘッドバンドとを少なくとも備えて構成されている。
【先行技術文献】
【特許文献】
【０００３】
【特許文献１】特許第２６５７４４６号公報
【０００４】
この場合、各ヘッドホンユニットは、ケーシング側に付設されたイヤーパッドを介することで、外耳介に対し密に接触させることができるほか、当たりが弾性を伴ってソフトであることから長時間にわたり装着しても不快感を感じることもないようになっている。
【発明の概要】
【発明が解決しようとする課題】
【０００５】
ところで、この種のヘッドホンユニットは、人体頭部に位置する外耳介にイヤーパッドを直に密着させた状態のもとで装着・使用されることから、その使用を繰り返すことでイヤーパッドに皮脂や汗などが付着して汚れやすいばかりでなく、傷みやすくもある。
【０００６】
しかし、従来からあるヘッドホンを構成しているヘッドホンユニットにあっては、ケーシングが備えるバッフルプレート側にイヤーパッドの周縁部を簡単には脱落しないように被せるようにしてしっかりと取り付けて組み合わされていることから、逆にイヤーパッドが汚れたり傷んだりしても簡単には交換することができないという不都合があった。
【０００７】
また、近時におけるＣＤ販売店などでは、ヘッドホンを用いて不特定多数の客に音曲を試聴させるようにしていることから、該ヘッドホンも入れ替わり立ち替わり使用される結果、とりわけイヤーパッドの汚れが目立ち、非衛生的となってしまう不具合があった。
【０００８】
本発明は、従来技術の上記課題に鑑み、通常はケーシング側にイヤーパッドを離脱困難に取り付けておくことができ、イヤーパッドが汚れたり傷んだりした際に簡単に交換することができるヘッドホンユニットを提供することを目的とする。
【課題を解決するための手段】
【０００９】
本発明は、上記目的を達成すべくなされたものであり、電気信号を音響に変換して放音するスピーカー部などが収容されるケーシングと、その使用時に人体の外耳介側に当接する位置関係のもとで前記ケーシングの放音面側を覆うイヤーパッドとを少なくとも備えるヘッドホンユニットにおいて、前記ケーシングは、前記放音面側を開口させた略筒状の開口端部の開口端近傍位置に小径段差部を備え、前記イヤーパッドは、人体の外耳介側に当接するパッド本体部と、該パッド本体部の内側に固定されて前記小径段差部の表出面側に差し込まれる支持筒部とを備え、小径段差部の前記表出面には、前記支持筒部の内側面と接触した際に倒伏する起毛長さの短繊維を静電植毛してなるフロック層を設けたことを最も主要な特徴とする。
【００１０】
この場合、前記小径段差部の奥端境界部には、弾性リングを配置しておくのが好ましい。また、前記短繊維には、経年変化の少ない耐候性素材を用いるのが望ましい。
【発明の効果】
【００１１】
請求項１に係る発明によれば、ケーシングは、その小径段差部の表出面に短繊維を静電植毛してなるフロック層を備えているので、イヤーパッドの支持筒部を単に挿入することで倒伏されるフロック層により、抜脱困難な方向への摩擦力を生成させてヘッドホンユニットとして組み立てることができる。
【００１２】
また、イヤーパッドを交換する際には、その支持筒部を周方向に捩るように回転させながら引っ張ることにより、各短繊維を径方向に傾かせた状態のもとで簡単にケーシング側から引き抜くことができる。
【００１３】
請求項２に係る発明によれば、小径段差部の奥端境界部に弾性リングが配置されているので、がたつきのない状態のもとでヘッドホンユニットを組み立てることができる
【００１４】
請求項３に係る発明によれば、短繊維に経年変化の少ない耐候性素材が用いられているので、その耐久性を高めてイヤーパッドの交換を長期にわたり安定的に繰り返し行うことができる。
【図面の簡単な説明】
【００１５】
【図１】本発明の一例をイヤーパッドを引き離した状態のもとで示す要部説明図。
【図２】図１に示す例につき、イヤーパッドをケーシング側に取り付ける際の状態を要部を拡大して示す説明図。
【発明を実施するための形態】
【００１６】
図１は、本発明の一例をイヤーパッドを引き離した状態のもとで示す要部説明図であり、ヘッドホン（図示せず）を構成しているヘッドホンユニット１１は、電気信号を音響に変換して放音するスピーカー部１８などが収容されるケーシング１２と、その使用時に人体の外耳介側に当接する位置関係のもとでケーシング１２の放音面１９側を覆うイヤーパッド２２とを少なくとも備えて形成されている。
【００１７】
このうち、ケーシング１２は、必要部材が収容できる適宜容積の空間部１３を内部に有し、かつ、スピーカー部１８が配置される放音面１９側を開口させた断面略椀形状を呈して形成されている。
【００１８】
この場合、ケーシング１２は、ケーシング本体部１４と、該ケーシング本体部１４の開放縁側から外方に一体となって延設されて放音面１９を形成する略筒状の開口端部１５とで形成されている。
【００１９】
しかも、該開口端部１５は、開放端１５ａ近傍に位置する部位の外径がその奥側に位置する部位の外径よりも小径に形成して確保される小径段差部１６を備えており、該小径段差部１６の奥端境界部１６ａ側には、ゴムなどからなる弾性リング材３２が嵌め込むようにして設置さている。
【００２０】
また、小径段差部１６は、弾性リング材３２を除く部位に位置する表出面１６に多数本の短繊維４３を静電植毛してなるフロック層４２を備えている。
【００２１】
この場合、静電植毛用の短繊維４３としては、適宜のものを用いることができるが、経年変化の少ない耐候性素材、例えばポリエステル繊維等を好適に用いることができる。なお、各短繊維４３は、小径段差部１５の段差高さと略同等もしくはやや短寸な起毛長さのものを用いるのが望ましい。
【００２２】
一方、イヤーパッド２２は、図示しない弾性クッション材を内蔵させて人体の外耳介側と当接するパッド本体部２３と、該パッド本体部２３の内側に固定されてケーシング１２の小径段差部１６の表出面１７側に差し込まれる支持筒部２４とを備えて形成されている。
【００２３】
この場合、支持筒部２４は、その内径がケーシング１２における小径段差部１６の外径よりもやや大径で、完全に差し込んだ際にその先端面２５が弾性リング材３２に圧接する送込み長さａが付与されて形成されている。
【００２４】
次に、上記構成からなる本発明につき、図示例に基づいてその作用・効果を説明すれば、ケーシング１２における小径段差部１６には、イヤーパッド２２における支持筒部２４を図２に示すように単に挿入するという簡単な操作で、抜脱困難な方向への摩擦力を生成させて確実に取り付けることで、ヘッドホンユニット１１を組み立てることができる。
【００２５】
すなわち、ケーシング１２は、その小径段差部１６の表出面１７に短繊維４３を静電植毛してなるフロック層４２を備えているので、イヤーパッド２２における支持筒部２４を送り込むことでフロック層４２を構成している短繊維４３のそれぞれを、図２に示されているように弾性リング材３２が位置する方向に倒伏させた状態のもとでその内側面２４ａに密に接触させることができる。
【００２６】
このため、イヤーパッド２２は、これをケーシング１２側から引き抜こうとしても倒伏している各短繊維４３の向きを逆方向に変えることができないために、支持筒部２４の内側面２４ａとフロック層４２の間に摩擦力が生じて引き抜くことが難しくなり、ケーシング１２側に確実に取り付けた状態のもとでヘッドホンユニット１１として組み立てることができる。
【００２７】
しかも、ケーシング１２における小径段差部１６の奥端境界部１６ａとイヤーパッド２２における支持筒部２４の先端面２５とは、介在させた弾性リング材３２により密に弾接する結果、がたつきのない状態のもとでヘッドホンユニット１１を組み立てることができることになる。
【００２８】
また、短繊維４３に例えばポリエステル繊維のような経年変化の少ない耐候性素材を用いている場合には、イヤーパッド２２の交換を繰り返し行っても耐久性を高めて長期にわたり安定的にヘッドホンユニット１１として使用することができる。
【００２９】
しかも、イヤーパッド２２を交換する際には、該イヤーパッド２２における支持筒部２４を周方向に捩るように回転させながら引っ張ることにより、各短繊維４３を径方向に傾かせた状態のもとで簡単にケーシング１２側から引き抜くことができる。
【００３０】
つまり、本発明によれば、ヘッドホンユニット１１は、ケーシング１２の小径段差部１６に単にフロック層４２を設けることで、従来例は容易ではなかったイヤーパッド２２の交換を極めて簡単に行うことができることになる。
【００３１】
以上は、本発明を図示例に基づいて説明したものであり、その具体的な実施形態はこれに限定されるものではない。例えば、ケーシング１２における小径段差部１６の奥端境界部１６ａ側には、所望により弾性リング材３２を配置せず、直接にイヤーパッド２２における支持筒部２４の先端面２５が当接するようにしてもよい。
【符号の説明】
【００３２】
１１  ヘッドホンユニット
１２  ケーシング
１３  空間部
１４  ケーシング本体部
１５  開口端部
１５ａ  開口縁
１６  小径段差部
１６ａ  奥端境界部
１７  表出面
１８  スピーカー部
１９  放音面
２２  イヤーパッド
２３  パッド本体部
２４  支持筒部
２４ａ  内側面
２５  先端面
３２  弾性リング材
４２  フロック層
４３  短繊維
ａ  送込み長さ
【図１】
2010187151.tif 000003
【図２】
2010187151.tif 000004